(57)【要約】【課題】圧縮能力可変圧縮機の確実な起動により、早い快適な空気調和を実現させるものである。【解決手段】圧縮機吐出容積をＦＵＬＬとＳＡＶＥに切り替えることにより２段階に能力を可変できる圧縮能力可変圧縮機３を搭載した能力可変式空気調和機に関し、圧縮能力可変圧縮機３の起動をＳＡＶＥで運転させることにより過負荷状態や電源電圧が低い場合でも、圧縮能力可変圧縮機３を停止させることなく、運転を開始することができる。【選択図】図１
2007183059.tif 000002
【特許請求の範囲】
【請求項１】
圧縮機吐出容積を全能力運転と低能力運転に切り替えることにより２段階に能力を可変できる圧縮機を搭載した能力可変式空気調和機であって、圧縮機を低能力運転で起動させることを特徴とする空気調和機。
【請求項２】
圧縮機を駆動する電動機がコンデンサ始動運転型単相誘導電動機であって、運転用コンデンサを複数個設け、圧縮機の起動時にはコンデンサ容量が大きくなるように接続することを特徴とする請求項１記載の空気調和機。
【発明の詳細な説明】
【技術分野】
【０００１】
本発明は、圧縮機吐出容積を全能力運転と低能力運転に切り替えることにより２段階に能力を可変できる圧縮機を搭載した能力可変式空気調和機に関するものである。
【背景技術】
【０００２】
従来の圧縮機吐出容積を全能力運転（以下ＦＵＬＬという）と低能力運転（以下ＳＡＶＥという）に切り替えることにより２段階に能力を可変できる圧縮機を搭載した空気調和機の起動は、圧縮機をＦＵＬＬで起動しているが、室内側、室外側ともに温度の高い環境、すなわち過負荷状態で起動すると、圧力が高くなり過ぎる場合や、電源電圧が低い場合、始動電流値が上昇し、圧縮機内部の電動機出力が極端に減少してしまい、いわゆる、ブレークダウンと呼ばれる電動機の強制停止となる。このときは、当然、圧縮作用が中断されてしまう。
【０００３】
このため、過負荷状態や電源電圧が低くて、始動電流値が上昇した場合は、圧縮機保護のため、保護装置として、過負荷継電器が作動し、圧縮機通電回路を遮断して、電動機巻線の焼損、或いは焼け付きを防ぐようになされている（例えば、特許文献１参照）。
【特許文献１】特開平７−１７４３９２号公報
【発明の開示】
【発明が解決しようとする課題】
【０００４】
しかしながら、前記の構成では、過負荷状態や電源電圧が低くて、始動電流が上昇した場合は、圧縮機保護のため、過負荷継電器が作動するため、圧縮機起動できず停止してしまうので、空気調和機は運転開始できない。本発明は、過負荷状態や電源電圧が低い場合でも、圧縮機の起動が容易にでき、空気調和機の運転が開始できる事を目的としている。
【課題を解決するための手段】
【０００５】
従来の課題を解決するため、本発明の空気調和機は、圧縮機吐出容積をＦＵＬＬとＳＡＶＥに切り替えることにより２段階に能力を可変できる圧縮機を搭載した空気調和機の起動を、圧縮機をＳＡＶＥで起動運転させるようにしたものである。
【０００６】
これによって、過負荷状態や電源電圧が低い場合でも、圧縮機をＳＡＶＥで運転することにより、圧縮負荷を低減し、低い始動電流値となり、圧縮機を停止させることなく空気調和機の運転が開始できる。
【０００７】
また、運転用コンデンサを複数個設け、圧縮機のＳＡＶＥ起動時にはコンデンサ容量を大きくなるように接続した空気調和機である。
【０００８】
これによって、過負荷状態や電源電圧が低い場合でも、強い始動性が得られるため、圧縮機をＳＡＶＥで運転することにより、円滑に始動することができ、圧縮機を停止させることなく空気調和機の運転が開始できる。
【発明の効果】
【０００９】
本発明の空気調和機は、過負荷状態や電源電圧が低い場合でも、圧縮機の起動が容易にできて停止させることなく、空気調和機の運転が開始できる。
【発明を実施するための最良の形態】
【００１０】
第１の発明は、室内空気吸込み口と室内側熱交換器と室内側送風機と室内空気吹出し口
からなる室内送風回路と、室外空気吸込み口と室外側熱交換器と室外側送風機と室外空気吹出し口からなる室外送風回路と、室内側熱交換器と室外側熱交換器と圧縮機と絞り装置を配管で連接した冷凍サイクルと、制御装置からなる空気調和機において、圧縮機吐出容積をＦＵＬＬとＳＡＶＥに切り替えることにより２段階に能力を可変できる圧縮能力可変圧縮機を搭載した空気調和機に関し、圧縮機の起動をＳＡＶＥで運転させることにより過負荷状態や電源電圧が低い場合でも、圧縮負荷を低減し、低い始動電流値となり、圧縮機を停止させることなく起動できるので、空気調和機の運転が開始できる。
【００１１】
第２の発明は、特に、第１の発明の空気調和機で、運転用コンデンサを複数個設け、圧縮機の起動時にはコンデンサ容量を大きくなるように接続することにより、過負荷状態や電源電圧が低い場合でも、強い始動性が得られるため、圧縮機をＳＡＶＥで運転することにより、円滑に始動することができ、圧縮機を停止させることなく能力可変式空気調和機の運転が開始できる。
【００１２】
以下本発明の実施の形態について、図面を参照しながら説明する。なお、以下に記載する実施の形態により本発明が限定されるものではない。
【００１３】
（実施の形態１）
図１は本発明の実施の形態１におけるブロック図である。
【００１４】
図１において、運転スイッチ１と制御装置２と、圧縮機吐出容積をＦＵＬＬとＳＡＶＥの２段階に能力を可変できる圧縮能力可変圧縮機３と、運転開始信号を検出して圧縮能力可変圧縮機３に送出するＦＵＬＬ／ＳＡＶＥ切り替え装置４を備え、運転スイッチ１から運転開始信号を検出した場合、圧縮能力可変圧縮機３をＳＡＶＥ運転させるものである。
【００１５】
以上のように構成された能力可変式空気調和機であれば、過負荷状態や電源電圧が低い場合でも、圧縮負荷も低減でき、低い電流値で運転を開始することができる。
【００１６】
（実施の形態２）
図２は本発明の実施の形態２におけるフロ−チャ−トである。
【００１７】
図３は本発明の実施の形態２におけるブロック図である。
【００１８】
図３において、運転スイッチ１と制御装置２と、圧縮機吐出容積をＦＵＬＬとＳＡＶＥの２段階に能力を可変できる圧縮能力可変圧縮機３と、運転開始信号を検出して圧縮能力可変圧縮機３に送出するＦＵＬＬ／ＳＡＶＥ切り替え装置４を備え、運転スイッチ１から出された運転開始信号を運転コンデンサブロック５が検出した場合、コンデンサ容量を大きくなるように接続され、圧縮能力可変圧縮機３をＳＡＶＥ運転させるものである。
【００１９】
以上のように構成された能力可変式空気調和機であれば、過負荷状態や電源電圧が低い場合でも強い始動性が得られるため、運転を開始することができる。
【産業上の利用可能性】
【００２０】
以上のように、本発明にかかる空気調和機は、圧縮機吐出容積をＦＵＬＬとＳＡＶＥに切り替えることにより２段階に能力を可変できる圧縮能力可変圧縮機を搭載し、ＳＡＶＥで起動させることにより過負荷状態や電源電圧が低い場合でも、圧縮能力可変圧縮機を停止させることなく起動できるので、能力可変式空気調和機ばかりではなく、除湿機や乾燥機などにも適用できる。
【図面の簡単な説明】
【００２１】
【図１】本発明の実施の形態１におけるブロック図
【図２】本発明の実施の形態２におけるフローチャート
【図３】本発明の実施の形態２におけるブロック図
【図４】従来の過負荷保護装置を示す過負荷保護装置動作ブロック図
【符号の説明】
【００２２】
１      運転スイッチ
２      制御装置
３      圧縮能力可変圧縮機
４      ＦＵＬＬ／ＳＡＶＥ切り替え装置
５      運転コンデンサブロック
【図１】
2007183059.tif 000003
【図２】
2007183059.tif 000004
【図３】
2007183059.tif 000005
【図４】
2007183059.tif 000006